(57)【特許請求の範囲】
【請求項１】
表面が押圧操作を受ける押圧面とされているとともに、裏面から突出するガイド軸及び回り止め軸を備え、これら両軸が操作パネルに挿通されることにより前記ガイド軸の軸線方向に沿って前記操作パネルに対し押圧操作自在とされるとともに前記操作パネルに対し前記ガイド軸回りの回動が規制される押圧部材において、
前記ガイド軸を含む第一部材と、前記回り止め軸を含む第二部材とが互いに別部材として構成され、これらの部材が、前記ガイド軸と回り止め軸とのピッチが可動となるように連結され、
前記第一部材又は第二部材の何れか一方は、その表面に前記押圧面が形成されたボタン本体とされ、他方は、前記ボタン本体に対し、その押圧動作に従動し、かつ、前記押圧面に沿って移動自在に取り付けられる可動部材とされ、
前記可動部材は、前記ガイド軸又は回り止め軸が立設された基板部を備え、この基板部は前記ボタン本体の裏面に沿って配置されているとともに、前記ガイド軸及び回り止め軸の両軸と直交する方向に沿って前記ボタン本体に対し移動自在に取り付けられ、
前記基板部には、前記ガイド軸及び回り止め軸の両軸線を含む平面と直交する第一方向の両側に向けて円弧状に膨出する膨出部が設けられ、
前記ボタン本体の裏面には、前記第一方向の外側から前記膨出部を挟む第一挟持部と、前記第一方向の外側から前記膨出部以外の部分で前記基板部を挟む第二挟持部とが設けられ、前記第一挟持部及び第二挟持部に沿って前記基板部が摺動することを特徴とする押圧部材。
【請求項２】
前記可動部材は、前記第一方向に沿った移動が規制された状態で前記ボタン本体に取り付けられることを特徴とする請求項１に記載の押圧部材。
【請求項３】
前記押圧面は特定方向に延びる形状とされているとともに、前記ガイド軸及び回り止め軸は前記特定方向に並んで配置され、前記可動部材は前記ボタン本体に対し前記特定方向に沿って移動自在とされていることを特徴とする請求項１又は２に記載の押圧部材。
【請求項４】
前記ボタン本体には、当該ボタン本体の裏面と対向する保持面を有する保持部が形成され、前記基板部は、前記ボタン本体の裏面と前記保持面との間で保持されることにより前記ボタン本体の押圧動作に従動することを特徴とする請求項１〜３の何れか１項に記載の押圧部材。
【請求項５】
請求項１〜４の何れか１項に記載の押圧部材と、この押圧部材を保持する操作パネルとを有する押圧操作装置であって、
前記操作パネルには、前記ガイド軸が挿通される挿通孔、及び前記回り止め軸が挿通される回り止め孔がそれぞれ形成されていることを特徴とする押圧操作装置。
【請求項６】
前記操作パネルの裏面に配設された主基板と、この主基板に設けられたスイッチ部材とをさらに備え、前記押圧部材の押圧操作によって前記ガイド軸の端面で前記スイッチ部材が押下されることを特徴とする請求項５に記載の押圧操作装置。
【発明の詳細な説明】
【技術分野】
【０００１】
本発明は、自動車等の車室内パネルや各種電子機器の操作パネルに押圧操作自在に設けられる押圧部材に関するものである。
【背景技術】
【０００２】
従来、前記押圧部材として、例えば、特許文献１に記載されるものが知られている。この押圧部材は、ボタン本体と、このボタン本体の裏側へ突出する一対の支持軸とを備え、これら支持軸がトランシーバ本体（操作パネル）に形成された挿通孔に挿通されることにより、当該各支持軸に沿った押圧部材の押圧方向への移動がガイドされるようになっている。
【０００３】
そして、前記のように複数の支持軸を有する押圧部材においては、特定の支持軸（以下、ガイド軸と称す）が押圧部材を押圧方向に沿ってガイドする役割とされ、他の支持軸（以下、回り止め軸と称す）がガイド軸回りの押圧部材の回動を阻止する役割とされ、これら両軸が押圧部材に一体に形成されているものも知られている。
【０００４】
そして、この種の押圧部材及びこの押圧部材を保持する操作パネルをそれぞれ一体成型する際には、ガイド軸と回り止め軸とのピッチ寸法及びこれらを挿通する両挿通孔間のピッチ寸法にばらつきが生じることを避けられず、これら両軸と両挿通孔との嵌め合いを厳しくすると当該両軸を挿通させることができない。そこで、前記押圧部材では、前記ピッチ寸法のばらつきの分を考慮した大きさのクリアランスを回り止め軸とこれを挿通する挿通孔との間に設けるようにしている。
【特許文献１】特開平５−２６６７５４号公報
【発明の開示】
【発明が解決しようとする課題】
【０００５】
前記押圧部材では、前記ピッチ寸法のばらつきを吸収するためにかなり大きなクリアランスを設ける必要があり、このクリアランスの分だけ回り止め軸が挿通孔内で自由に動くことができるので、押圧部材の押圧面のうちガイド軸から離間した範囲を押圧した場合、回り止め軸がガイド軸を支点として挿通孔に対して傾斜することにより押圧部材が操作パネルに対して傾動し易く、当該傾動に伴いガイド軸と挿通孔との摺動抵抗が増大して押圧部材をスムーズに押圧することができなくなるおそれがある。
【０００６】
特に、近年では押圧面を拡張することが要請されているため、この拡張に伴い押圧面の範囲のうちガイド軸から離れた部分を押圧操作する確率が高くなって押圧部材がより傾動し易くなる傾向にある。
【０００７】
本発明は、上記課題に鑑みてなされたものであり、回り止めとスムーズな押圧動作とを両立させることができる押圧部材及びこれを備えた押圧操作装置を提供することを目的としている。
【課題を解決するための手段】
【０００８】
上記課題を解決するために、本発明は、表面が押圧操作を受ける押圧面とされているとともに、裏面から突出するガイド軸及び回り止め軸を備え、これら両軸が操作パネルに挿通されることにより前記ガイド軸の軸線方向に沿って前記操作パネルに対し押圧操作自在とされるとともに前記操作パネルに対し前記ガイド軸回りの回動が規制される押圧部材において、前記ガイド軸を含む第一部材と、前記回り止め軸を含む第二部材とが互いに別部材として構成され、これらの部材が、前記ガイド軸と回り止め軸とのピッチが可動となるように連結され、前記第一部材又は第二部材の何れか一方は、その表面に前記押圧面が形成されたボタン本体とされ、他方は、前記ボタン本体に対し、その押圧動作に従動し、かつ、前記押圧面に沿って移動自在に取り付けられる可動部材とされ、前記可動部材は、前記ガイド軸又は回り止め軸が立設された基板部を備え、この基板部は前記ボタン本体の裏面に沿って配置されているとともに、前記ガイド軸及び回り止め軸の両軸と直交する方向に沿って前記ボタン本体に対し移動自在に取り付けられ、前記基板部には、前記ガイド軸及び回り止め軸の両軸線を含む平面と直交する第一方向の両側に向けて円弧状に膨出する膨出部が設けられ、前記ボタン本体の裏面には、前記第一方向の外側から前記膨出部を挟む第一挟持部と、前記第一方向の外側から前記膨出部以外の部分で前記基板部を挟む第二挟持部とが設けられ、前記第一挟持部及び第二挟持部に沿って前記基板部が摺動することを特徴とする押圧部を提供する。
【０００９】
本発明によれば、操作パネルにおいてガイド軸及び回り止め軸の挿通箇所のピッチ寸法にばらつきが生じている場合であっても、第一部材と第二部材とを相対移動させてガイド軸と回り止め軸とのピッチ寸法を調整することにより当該両軸の挿通を可能にすることができるので、回り止め軸と操作パネルとの間に必要なクリアランスを削減することができる。
【００１０】
したがって、本発明では、ピッチ寸法のばらつきを吸収するためのクリアランスを削減することができるので、押圧面のうちガイド軸から離間した範囲を押圧操作した場合であっても、操作パネルに対する回り止め軸の傾斜を規制してこの傾斜に伴う押圧部材の傾動を防止することができるとともに、ガイド軸と回り止め軸の双方で押圧部材の押圧動作をガイドすることができ、当該押圧部材の押圧操作をスムーズに行うことができる。
【００１１】
したがって、本発明によれば、回り止めとスムーズな押圧動作とを両立させることができる。
【００１２】
具体的に、本発明では、前記第一部材又は第二部材の何れか一方は、その表面に前記押圧面が形成されたボタン本体とされ、他方は、前記ボタン本体に対し、その押圧動作に従動し、かつ、前記押圧面に沿って移動自在に取り付けられる可動部材とされている。
【００１３】
したがって、押圧面を有するボタン本体にガイド軸又は回り止め軸を併せて形成することにより、このボタン本体と可動部材によってピッチ寸法の調整機能を有する押圧部材を構成することができるので、当該押圧部材の部品点数を必要最小限とすることができる。
【００１４】
また、本発明では、前記可動部材は、前記ガイド軸又は回り止め軸が立設された基板部を備え、この基板部は前記ボタン本体の裏面に沿って配置されているとともに、前記ガイド軸及び回り止め軸の両軸と直交する方向に沿って前記ボタン本体に対し移動自在に取り付けられている。
【００１５】
したがって、可動部材の基板部を押圧面の裏面に沿って移動自在に取り付けるといった簡単な構成でボタン本体の回り止めとスムーズな押圧動作とを両立させることができる。
【００１６】
さらに、本発明では、前記ボタン本体の裏面には、前記ガイド軸及び回り止め軸の両軸線を含む平面と直交する方向で前記基板部を挟む挟持部が立設され、この挟持部に沿って基板部が摺動する。
【００１７】
したがって、ボタン本体の裏面に立設された挟持部によって、基板部が前記両軸線を含む平面と直交する方向へ移動するのを規制することができる。
【００１８】
そして、前記可動部材は、前記第一方向に沿った移動が規制された状態で前記ボタン本体に取り付けられることが好ましい。
【００１９】
この構成によれば、ガイド軸及び回り止め軸を含む平面に直交する方向に沿った可動部材の移動が規制されているので、押圧部材を操作パネルに取り付けた際にボタン本体がガイド軸回りに回動するのを確実に阻止することができる。
【００２０】
すなわち、この構成に係る押圧部材を操作パネルに取り付けた場合、ボタン本体と可動部材との関係においてはガイド軸の軸線を中心とする円の接線方向への相対移動が規制され、これらボタン本体と可動部材の双方の移動がガイド軸及び回り止め軸によって操作パネルに対し規制されているので、ボタン本体の操作パネルに対する回動を阻止することができる。
【００２１】
なお、「ガイド軸及び回り止め軸の両軸線を含む平面に直交する方向（第一方向）に沿った移動の規制」とは、当該方向への移動を完全に不可とする意味ではなく、ボタン本体の回動が許容される範囲での移動を含む趣旨である。
【００２２】
前記押圧面の形状は特に限定されるものではないが、前記押圧面は特定方向に延びる形状とされているとともに、前記ガイド軸及び回り止め軸は前記特定方向に並んで配置され、前記可動部材は前記ボタン本体に対し前記特定方向に沿って移動自在とされていることが好ましい。
【００２３】
この構成によれば、押圧面の長手方向に沿ってガイド軸及び回り止め軸が並べて配置されているので、押圧操作される押圧面の位置にかかわらず、ボタン本体を比較的スムーズに押圧操作することができる。
【００２４】
すなわち、前記構成では、ガイド軸又は回り止め軸がそれぞれ押圧面の長手方向の何れかの端部に寄ってレイアウトされることになるが、ここで従来のように回り止め軸と操作パネルとの間にピッチ寸法のばらつきを吸収するために必要なクリアランスを設けた場合、ガイド軸側の端部を押圧操作した際には当該ガイド軸に沿ってボタン本体をガイドすることができるものの、回り止め軸側の端部を押圧操作した際にはガイド軸を支点とした回り止め軸の傾斜がスムーズな押圧操作の阻害要因となっていたが、この構成では、回り止め軸とガイド軸とのピッチ寸法が調整可能であることに起因して回り止め軸と操作パネルとの間に前記クリアランスを設けることが不要となり、ガイド軸だけでなく回り止め軸によってもボタン本体の押圧動作をガイドすることができるので、押圧面の長手方向の端部のうち何れの端部を押圧操作した場合であってもガイド軸又は回り止め軸の比較的近くを押圧操作したことになり、当該軸に沿ってボタン本体を比較的スムーズに押圧操作することができる。
【００２５】
また、前記ボタン本体には、当該ボタン本体の裏面と対向する保持面を有する保持部が形成され、前記基板部は、前記ボタン本体の裏面と前記保持面との間で保持されることにより前記ボタン本体の押圧動作に従動することが好ましい。
【００２６】
この構成によれば、押圧操作の際に、ボタン本体と可動部材とを一体的に移動させることができる。
【００２７】
本発明の別の態様は、前記押圧部材と、この押圧部材を保持する操作パネルとを有する押圧操作装置であって、前記操作パネルには、前記ガイド軸が挿通される挿通孔、及び前記回り止め軸が挿通される回り止め孔がそれぞれ形成されていることを特徴とする押圧操作装置である。
【００２８】
本発明によれば、押圧部材の回り止めとスムーズな押圧操作とを両立させることができる押圧操作装置を提供することができる。
【００２９】
前記押圧操作装置において、前記操作パネルの裏面に配設された主基板と、この主基板に設けられたスイッチ部材とをさらに備え、前記押圧部材の押圧操作によって前記ガイド軸の端面で前記スイッチ部材が押下されることが好ましい。
【００３０】
この構成によれば、スイッチ部材を押下するのに際して、押圧部材をスムーズに押圧操作することができる。
【発明の効果】
【００３１】
本発明によれば、ボタン本体の回り止めとスムーズな押圧動作とを両立させることができる。
【発明を実施するための最良の形態】
【００３２】
以下、本発明の好ましい実施形態について図面を参照して説明する。
【００３３】
図１は、本発明の実施形態に係る車両用オーディオ機器を示す、（ａ）は平面図、（ｂ）は（ａ）のIb−Ib線断面図、（ｃ）は（ａ）のIc−Ic線断面図である。図２は、図１（ｂ）のII−II線断面図である。
【００３４】
各図を参照して、オーディオ機器１は、主基板２と、この主基板２の表面を被覆する操作パネル３と、主基板２上に実装された一対のスイッチ（スイッチ部材）２ａ及び２ｂを押下する操作ボタン（押圧部材）４とを備えている。
【００３５】
操作パネル３は、表面側に開くとともに平面視略長方形の凹部５が形成された合成樹脂パネルである。なお、以下の説明では、凹部５の長手方向を左右方向とするとともに当該凹部５が開く側（表面側）を前方とし、これら左右及び前後方向と直交する方向を上下方向として説明する。
【００３６】
操作パネル３には、前記凹部５の底板５ａから前記スイッチ２ａの手前位置まで延びる左右一対のスリーブ６、７が形成されている。これらスリーブ６及び７は、それぞれ前後方向に延びる円筒状に形成され、その内腔部が後述する操作ボタン４をガイドするための挿通孔６ａ及び回り止め孔７ａとされている。
【００３７】
操作ボタン４は、後方へ突出する一対のガイド軸１１及び回り止め軸１７を備え、これら両軸１１及び１７が前記操作パネル３の挿通孔６ａ及び回り止め孔７ａにそれぞれ挿通されることにより、ガイド軸１１の軸線方向（前後方向）に沿って操作パネル３に対し押圧操作自在とされるとともに操作パネル３に対し前記ガイド軸１１回りの回動が規制されている。
【００３８】
具体的に、操作ボタン４は、ガイド軸１１を含むボタン本体（第一部材）８と、回り止め軸１７を含む可動部材（第二部材）９とを備え、これらボタン本体８と可動部材９とを左右に相対移動させることによりガイド軸１１と回り止め軸１７とのピッチ寸法Ｐ１を調整可能とされている。
【００３９】
ボタン本体８は、前記凹部５内で出没自在とされる押圧部１０と、この押圧部１０から後方（裏面側）へ延びるガイド軸１１と、前記凹部の底板５ａを前後に貫く左右一対の舌部１２とを備え、これら舌部１２の係止爪１２ａが底板５ａの後面に係止されることにより操作パネル３から前方へ抜け止め状態とされている。
【００４０】
押圧部１０は、前記凹部５の平面形状に対応して平面視略長方形に形成され、その前面が押圧操作を受ける押圧面１０ａとされている。
【００４１】
また、押圧部１０には、その後面から突出する上下一対の挟持板（挟持部）１４が設けられている。これら挟持板１４は、後述する可動部材９を上下に挟持することにより当該可動部材９がボタン本体８に対し上下動するのを規制しながら左右方向へ摺動するのを許容するようになっている。
【００４２】
ガイド軸１１は、前後方向に延びる円筒状に形成され、前記操作パネル３の挿通孔６ａに挿通され、その下端部がスイッチ２ａの前面に当接した状態とされている。したがって、ガイド軸１１は、前記押圧部１０の押圧操作に応じてその下端部でスイッチ２ａを押下する一方、押圧力の解除に応じてスイッチ２ａに内蔵された圧縮ばね（図示せず）の付勢力によって前方位置（前記係止爪１２ａにより規定された位置）へ復帰することになる。
【００４３】
また、ガイド軸１１には、前記押圧部１０との付け根部分において、その左側面を貫通する窓部（保持部）１５が形成されている。この窓部１５は、側面視長方形の開口を形成しており、その後部端面が後述する可動部材９を保持する保持面１５ａ（図１（ｂ）参照）とされている。
【００４４】
可動部材９は、前記底板５ａの後面に沿って配置される基板部１６と、この基板部１６から後方に延びる回り止め軸１７とを備えている。
【００４５】
基板部１６は、短冊状の板部材であり、その右端部が前記ガイド軸１１の窓部１５内に挿通されている。したがって、基板部１６は、前記押圧部１０の後面と窓部１５の保持面１５ａとの間で保持されることになり、これにより押圧部１０の押圧動作及び復帰動作（すなわち、前後動）に従動することになる。なお、前記窓部１５の上面１５ｂ及び下面１５ｃ（図２参照）は、窓部１５に挿通される基板部１６の側面を挟持して当該基板部１６の上下動を規制する第二挟持部として機能している。
【００４６】
さらに、基板部１６には、回り止め軸１７の付け根部分において当該回り止め軸１７の直径寸法に対応する円弧状の膨出部分１６ａが上下に形成されているが、これら膨出部分１６ａが前記両挟持板（第一挟持部）１４の間に挟持されている。したがって、基板部１６は、両挟持板１４により上下動が規制されながらこれら両挟持板１４に沿って押圧部１０に対し左右方向に摺動することができる。
【００４７】
回り止め軸１７は、前後方向に延びる円柱状に形成され、前記操作パネル３の回り止め孔７ａに挿通され、その下端部がスイッチ２ｂの前面に当接した状態とされている。したがって、回り止め軸１７は、前記押圧部１０の押圧操作に応じてその下端部でスイッチ２ｂを押下する一方、押圧力の解除に応じてスイッチ２ｂに内蔵された圧縮ばね（図示せず）の付勢力によって前方位置（前記係止爪１２ａにより規定された位置）へ復帰することになる。
【００４８】
次に、操作ボタン４を操作パネル３に組み付ける手順について説明する。
【００４９】
まず、ボタン本体８に対して可動部材９を左右に移動させることによりガイド軸１１と回り止め軸１７のピッチ寸法Ｐ１を、操作パネル３の挿通孔６ａと回り止め孔７ａのピッチ寸法に合わせて調整する。
【００５０】
次いで、前記各舌部１２の係止爪１２ａが操作パネル３の底板５ａに係止するまでの間、ガイド軸１１及び回り止め軸１７を挿通孔６ａ及び回り止め孔７ａにそれぞれ前方から挿入することにより操作ボタン４を操作パネル３に組み付けることができる。
【００５１】
そして、このように操作ボタン４が組みつけられた状態において、押圧面１０ａに後方への外力が付与されると、操作ボタン４がガイド軸１１及び回り止め軸１７の軸線方向に沿ってガイドされながら押し込まれることになる。
【００５２】
このとき、前記実施形態では、押圧面１０ａが左右方向へ延びる長方形とされているので、この押圧面１０ａのうち左右何れかの端部が押圧操作された場合には、押圧力を受けた端部が矢印Ｙ１に示すように傾動しようとするが、前記オーディオ機器１ではガイド軸１１及び回り止め軸１７が左右に並んで配置されているので、押圧力を受けた端部に近接して配設されたガイド軸１１又は回り止め軸１７に沿って操作ボタン４をスムーズに押圧操作することができる。
【００５３】
また、操作ボタン４に対しガイド軸１１回りに回動させる方向の外力が付与された場合には、ボタン本体８の左端部が矢印Ｙ２に示す方向へ移動しようとするが、ボタン本体８と可動部材９とは両挟持板１４によって上下方向（ガイド軸１１を中心とする円の接線方向）への移動が規制されているので両者が相対変位することはなく、さらに、これらボタン本体８及び可動部材９の双方は、ガイド軸１１及び回り止め軸１７によって操作パネル３に対する左右及び上下方向の移動が規制されているので、当該ボタン本体８の回動を防止することができる。
【００５４】
以上説明したように、前記オーディオ機器１によれば、操作パネル３において挿通孔６ａと回り止め孔７ａとのピッチ寸法にばらつきが生じている場合であっても、互いに別部材として成形されたボタン本体８と可動部材９とを相対移動させてガイド軸１１と回り止め軸１７とのピッチ寸法Ｐ１を調整することにより当該両軸１１及び１７を挿通孔６ａ及び回り止め孔７ａに挿通することができるので、回り止め軸１７と回り止め孔７ａとの間に必要なクリアランスを削減することができる。
【００５５】
したがって、オーディオ機器１では、ピッチ寸法のばらつきを吸収するためのクリアランスを削減することができるので、押圧面１０ａのうちガイド軸１１から離間した左端部を押圧操作した場合であっても、回り止め孔７ａに対する回り止め軸１７の傾斜を規制してこの傾斜に伴う操作ボタン４の傾動の発生を防止することができるとともに、ガイド軸１１と回り止め軸１７の双方で操作ボタン４の押圧動作をガイドすることができ、当該操作ボタン４の押圧操作をスムーズに行うことができる。
【００５６】
したがって、前記オーディオ機器１によれば、操作ボタン４の回り止めとスムーズな押圧動作とを両立させることができる。
【００５７】
さらに、前記実施形態では、押圧面１０ａを有するボタン本体８にガイド軸１１を併せて形成しているので、このボタン本体８と可動部材９によってピッチ寸法Ｐ１の調整機能を有する操作ボタン４を構成することができ、当該操作ボタン４の部品点数を必要最小限とすることができる。
【００５８】
そして、可動部材９は、ボタン本体８に対し、ガイド軸１１及び回り止め軸１７を含む平面に直交する方向（上下方向）に沿った移動が規制されているので、ボタン本体８のガイド軸１１回りの回動を確実に阻止することができる。
【００５９】
すなわち、ボタン本体８と可動部材９との関係においてはガイド軸１１の軸線を中心とする円の接線方向（上下方向）への相対移動が規制され、これらボタン本体８と可動部材９の双方の移動がガイド軸１１及び回り止め軸１７によって操作パネル３に対し規制されているので、ボタン本体８の操作パネル３に対する回動を阻止することができる。
【００６０】
また、前記オーディオ機器１によれば、押圧面１０ａの長手方向に沿ってガイド軸１１及び回り止め軸１７が並べて配置されているので、押圧操作される押圧面１０ａの位置にかかわらず、押圧部材を比較的スムーズに押圧操作することができる。
【００６１】
すなわち、前記オーディオ機器１では、ガイド軸１１が押圧面１０ａの右端部、回り止め軸１７が押圧面１０ａの左端部に寄ってレイアウトされているが、ここで回り止め軸１１と回り止め孔７ａとの間にピッチ寸法のばらつきを吸収するために必要なクリアランスを設けた場合、ガイド軸１１側の右端部を押圧操作した際にはガイド軸１１を支点とした回り止め軸１７の傾斜がスムーズな押圧操作の阻害要因となっていたが、前記実施形態では、回り止め軸１７とガイド軸１１とのピッチ寸法Ｐ１が調整可能であることに起因して回り止め軸１７と回り止め孔７ａとの間に前記クリアランスを設けることが不要となり、ガイド軸１１だけでなく回り止め軸１７によってもボタン本体８の押圧動作をガイドすることができるので、押圧面１０ａの左右何れの端部を押圧操作した場合であってもガイド軸１１又は回り止め軸１７の比較的近くを押圧操作したことになり、当該軸１１又は１７に沿って押圧部材を比較的スムーズに押圧操作することができる。
【００６２】
そして、前記オーディオ機器１では、基板部１６を押圧面１０ａの裏面に沿って移動自在に取り付けるといった簡単な構成でボタン本体８の回り止めとスムーズな押圧動作とを両立させることができる。
【００６３】
なお、前記実施形態では、ガイド軸１１の窓部１５によって可動部材９をボタン本体８に取り付けるようにしているが、可動部材９の取付構造は特に限定されることはなく、例えば、図３に示す取付構造を採用することもできる。
【００６４】
図３は、本発明の別の実施形態に係るオーディオ機器を示す、（ａ）は側面断面図、（ｂ）は（ａ）のIIIb−IIIb線断面図である。なお、以下の説明では上記実施形態と同様の構成については同一の符号を付してその説明を省略する。
【００６５】
図３を参照して、本実施形態のオーディオ機器１８は、前記押圧面１０ａの裏面から突出する保持部１９が設けられている点で前記実施形態と相違している。
【００６６】
具体的に、保持部１９は、上下一対の突出片２０と、これら突出片２０のそれぞれから相手側の突出片２０へ向けて突出する保持片２１とを備えている。
【００６７】
そして、保持部１９は、各突出片２０の間で、かつ、各保持片２１の前面２１ｂと押圧部１０の後面との間に基板部１６を挿通されることにより当該基板部１６を保持するようになっている。したがって、基板部１６は、押圧部１０の押圧動作及び復帰動作（すなわち、前後動作）に従動することになる。なお、前記各突出片２０それぞれの内側面２０ａ及び２０ｂは、基板部１６の側面を挟持して当該基板部１６の上下動を規制する挟持部として機能している。
【００６８】
このように構成されたオーディオ機器１８においても、各突出片２０同士の間で可動部材９を左右に移動させることによりガイド軸１１と回り止め軸１７のピッチ寸法Ｐ１を調整することができる。
【００６９】
なお、図３に示すオーディオ機器１８では、前記窓部１５による基板部１６の取付構造を省略しているが、前記保持部１９の取付構造に加えて窓部１５による取付構造を採用することもできる。
【００７０】
また、前記各実施形態においては、左右方向に延びる押圧面１０ａを有する操作ボタン４について説明しているが、押圧面１０ａの形状は特に限定されることはない。例えば、押圧面１０ａを円形とした場合であっても、前記ボタン本体８と可動部材９とを別々に構成することにより回り止め軸１７と回り止め孔７ａとの間のクリアランスを省略することができるので、当該クリアランスを設ける場合と異なりボタン本体８の傾動を抑制することができ、これにより操作ボタン４のスムーズな押圧操作を実現することができる。
【００７１】
さらに、前記各実施形態では、押圧面１０ａを有するボタン本体８にガイド軸１１を、可動部材９に回り止め軸１７を設けているが、反対に、ボタン本体８に回り止め軸１７を、可動部材９にガイド軸１１を設けることもできる。
【図面の簡単な説明】
【００７２】
【図１】本発明の実施形態に係る車両用オーディオ機器を示す、（ａ）は平面図、（ｂ）は（ａ）のIb−Ib線断面図、（ｃ）は（ａ）のIc−Ic線断面図である。
【図２】図１（ｂ）のII−II線断面図である。
【図３】本発明の別の実施形態に係るオーディオ機器を示す、（ａ）は側面断面図、（ｂ）は（ａ）のIIIb−IIIb線断面図である。
【符号の説明】
【００７３】
１、１８    オーディオ機器（押圧操作装置）
２    主基板
２ａ、２ｂ    スイッチ（スイッチ部材）
３    操作パネル
４    操作ボタン（押圧部材）
６ａ  挿通孔
７ａ  回り止め孔
８  ボタン本体（第一部材）
９  可動部材（第二部材）
１０ａ  押圧面
１１  ガイド軸
１４  挟持板（挟持部）
１５  窓部（保持部）
１５ａ  保持面
１５ｂ  上面（挟持部の一例）
１５ｃ  下面（挟持部の一例）
１６  基板部
１７  回り止め軸
１９  保持部
２０  突出片
２０ａ  内側面（挟持部の一例）
２１  保持片
２１ｂ  前面
Ｐ１    ピッチ寸法
【図１】
0004654833.tif 000002
【図２】
0004654833.tif 000003
【図３】
0004654833.tif 000004